(57)【要約】【課題】全長の自由度を高めつつ、全長に亘る剛性や強度を容易に確保できるようにする。【解決手段】互いに逆方向に屈曲する複数の屈曲部が平坦部によって結合された波形形状の帯状部材を有する輪木であって、少なくとも１方側の端部を構成する平坦部１０２は、他の中間部の平坦部１０２よりも短く設定され、先端部に係止凸部１１１が形成されるとともに、上記他の中間部の平坦部１０２の少なくとも１つに、連結される他の輪木１００の係止凸部１１１が係止される係止開口部１１３が形成されている。【選択図】図２
2019190128.tif 000002
【特許請求の範囲】
【請求項１】
互いに逆方向に屈曲する複数の屈曲部が平坦部によって結合された波形形状の帯状部材を有する輪木であって、
少なくとも１方側の端部を構成する平坦部は、他の中間部の平坦部よりも短く設定され、先端部に係止凸部が形成されるとともに、
上記他の中間部の平坦部の少なくとも１つに、連結される他の輪木の係止凸部が係止される係止開口部が形成されていることを特徴とする輪木。
【請求項２】
請求項１の輪木であって、
第１の輪木の屈曲部と第２の輪木の屈曲部とが重ねられて連結されるように構成され、
上記第１の輪木における上記１方側の端部に隣接する屈曲部の凸部側に、上記第２の輪木における屈曲部の凹部側が重ねられるように連結される場合に、
上記第２の輪木の係止開口部における、上記第１の輪木側の縁部に、上記第１の輪木の上記係止凸部が係止されるとともに、
上記第１の輪木の係止開口部における、上記第２の輪木側の縁部に、上記第２の輪木の上記係止凸部が係止されるように構成されていることを特徴とする輪木。
【請求項３】
請求項１および請求項２のうち何れか１項の輪木であって、さらに、
上記屈曲部の凸部側に、係合突起が形成されるとともに、
上記屈曲部の凹部側に、他の輪木の上記係合突起が嵌まり込む係合孔が形成されていることを特徴とする輪木。
【請求項４】
請求項１から請求項３のうち何れか１項の輪木であって、
上記係止凸部が形成された平坦部に干渉回避開口部が形成され、
複数の輪木における上記係止凸部が形成された平坦部が重なるように積層された場合に、各輪木の上記係止凸部が、他の輪木の干渉回避開口部に嵌まり込むことによって、他の輪木の平坦部との干渉が抑制されるように構成されていることを特徴とする輪木。
【請求項５】
請求項１から請求項４のうち何れか１項の輪木であって、
一方側の端部に上記係止凸部が形成されるとともに、他方側の端部に、位置および姿勢が固定された状態で上記帯状部材と一体的に形成された把持部が設けられ、
上記把持部は、内部に穴を有する環状に形成されていることを特徴とする輪木。
【発明の詳細な説明】
【技術分野】
【０００１】
本発明は、板状の建築資材を地面や床から離して仮置きする場合などに用いられる輪木に関するものである。
【背景技術】
【０００２】
建築物の外壁用のパネル等が建築現場で使用される場合、そのパネル等は、床や地面に置かれた輪木の上に仮置きされることがある。上記輪木としては、例えば、帯状部材を波状に形成したプラスチック成型品が用いられている（例えば、特許文献１参照。）。
【０００３】
また、輪木の長さを自由に変えられるようにするために、湾曲した形状を有する単位構成片の両端部に嵌合凹部と嵌合凸部とを設け、複数の単位構成片を連結可能にしたものも知られている（例えば、特許文献２参照。）。
【先行技術文献】
【特許文献】
【０００４】
【特許文献１】特開２００４−１０７９１４号公報
【特許文献２】特開２０００−２９７５３７号公報
【発明の概要】
【発明が解決しようとする課題】
【０００５】
上記のように単位構成片の両端に嵌合凹部や嵌合凸部を設けて連結する場合、連結部の剛性や強度を高めることが困難である。そのために、輪木の全長に亘っての剛性や強度も低下しがちになる。
【０００６】
本発明は、上記の点に鑑み、全長の自由度を高めつつ、全長に亘る剛性や強度を容易に確保できるようにすることを目的としている。
【課題を解決するための手段】
【０００７】
上記の目的を達成するため、本発明は、
互いに逆方向に屈曲する複数の屈曲部が平坦部によって結合された波形形状の帯状部材を有する輪木であって、
少なくとも１方側の端部を構成する平坦部は、他の中間部の平坦部よりも短く設定され、先端部に係止凸部が形成されるとともに、
上記他の中間部の平坦部の少なくとも１つに、連結される他の輪木の係止凸部が係止される係止開口部が形成されていることを特徴とする。
【０００８】
これにより、２本の輪木の端部にそれぞれ形成された係止凸部が、それぞれ、他方の輪木の平坦部に形成された係止開口部に係止されることによって、２本の輪木を容易に連結することができる。
【発明の効果】
【０００９】
本発明によれば、全長の自由度を高めつつ、全長に亘る剛性や強度を確保することが容易にできる。
【図面の簡単な説明】
【００１０】
【図１】輪木が用いられる状態の例を示す斜視図である。
【図２】輪木の具体的な構成を示す斜視図である。
【図３】２本の輪木が連結された状態を示す平面図である。
【図４】２本の輪木が重ねられた状態を示す平面図である。
【発明を実施するための形態】
【００１１】
以下、本発明の実施形態を図面に基づいて詳細に説明する。
【００１２】
輪木１００は、図１に示すように、例えば建築物の外壁等に用いられる資材パネル２００を地面から離して仮置きするためなどに用いられる。
【００１３】
上記輪木１００は、例えばプラスチックの押し出し成型によって形成され、図２に示すように、屈曲部１０１が形成された帯状部材を有するように構成されている。より詳しくは、互いに逆方向に屈曲する屈曲部１０１どうしが平坦部１０２により連結された波形形状を有している。屈曲部１０１の内側における帯状部材の幅方向両縁部付近には、リブ部１０３が形成され、帯状部材の長手方向の伸縮変形に対する剛性や強度が高められるようになっている。
【００１４】
輪木１００の屈曲部１０１における内方側および外方側の形状や、平坦部１０２の傾斜角度などは、例えば図３、図４に示すように、複数の輪木１００を重ねたときに、全体の嵩が比較的小さくなるように、すなわち、例えばそれぞれの平坦部１０２どうしが略全長に亘って密着し得るように設定されている。
【００１５】
帯状部材の一端部には、把持部１０４が設けられている。この把持部１０４は、内部に穴を有する略角形の環状に形成されている。この把持部１０４の形状や寸法は特に限定されないが、例えば、帯状部材の長手方向における長さ（Ａ）は約４５ｍｍ、帯状部材の幅方向における長さ（Ｂ）は約６０ｍｍ、帯状部材の幅方向における把持部１０４の端から帯状部材の幅方向の縁部までの寸法（Ｃ）は約２０ｍｍなどに設定されている。
【００１６】
帯状部材の他端部の平坦部１０２は、他の中間部の平坦部１０２よりも短く設定され、先端部に係止凸部１１１が形成されている。また、上記係止凸部１１１の近傍には、略角形の干渉回避開口部１１２が形成されている。一方、中間部の少なくとも１つの平坦部１０２には、略角形の係止開口部１１３が形成されている。さらに、屈曲部１０１の頂部（屈曲の外側部分）には、例えば略円柱状の係合突起１２１が形成されている。屈曲部１０１の内側部分には、図３に示すように係合孔１２２が形成されている。上記係止凸部１１１、干渉回避開口部１１２、および係止開口部１１３等の関係について、以下に説明する。
【００１７】
上記のような輪木１００では、例えば図３に示すように、係止凸部１１１が同図の左方側、隣接する屈曲部１０１が同図の上方側に位置するように第１の輪木が配置されたとすると、これに、係止凸部１１１が同図の右方側に位置し、第１、第２の輪木の３つの屈曲部１０１が重なるように、上方から第２の輪木が重ねられた場合に、これらの２つの輪木が強固に連結されるようになっている。
【００１８】
すなわち、例えば、第１の輪木の左端では、上方から第２の輪木が被さって、第２の輪木の係止開口部１１３における下方側の第１縁部１１３ａが、第１の輪木の係止凸部１１１よりも下方側に至ったときに、上記第１縁部１１３ａと係止凸部１１１とが係止状態になる。また、第２の輪木の係止凸部１１１が、第１の輪木の係止開口部１１３における上方側の第２縁部１１３ｂよりも下方側に至ったときに、上記係止凸部１１１と第２縁部１１３ｂとが係止状態になる。より詳しくは、係止凸部１１１は、平坦部１０２の端部両面側にＴ字状に張り出すように形成され、両面側の部分が、それぞれ第１縁部１１３ａまたは第２縁部１１３ｂに係止される。また、第１の輪木の係合突起１２１は、第２の輪木の係合孔１２２に嵌まり込む。これによって、第１、第２の輪木は比較的強固に連結され、全長に亘る剛性や強度を容易に確保できることになり、長い全長を有する輪木として用いることができる。
【００１９】
また、図４に示すように、第１、第２の輪木が、係止凸部１１１や把持部１０４が揃うように重ねられる場合には、例えば輸送や保管などに要するスペースが小さく抑えられるようになっている。より詳しくは、第１の輪木に、図４における上方から第２の輪木が被さったときに、第２の輪木の係止凸部１１１は、第２の輪木に形成された干渉回避開口部１１２に嵌まり込んで、第２の輪木の平坦部１０２に干渉しないようになっている。これによって、第１、第２の輪木の平坦部１０２どうしが密着しやすくなり、上記のように省スペース化が図られる。
【００２０】
また、輪木の一方の一端部に上記のような把持部１０４が設けられていることによって、例えば輪木１００全体が資材パネル２００の下方に位置しているような状態で輪木１００の位置をずらしたりする場合に、把持部１０４を掴めば、輪木１００と資材パネル２００との間や、輪木１００と地面との間などに指や手を挟んだりするおそれを容易に低減することができる。特に、把持部１０４における帯状部材の幅方向の寸法が、上記帯状部材の幅よりも短く設定されていることによって、特に、図２の寸法（Ｃ）がある程度の長さに設定されていることによって、一層確実に指や手を挟んだりする事態を回避することが容易にでき、作業性を向上させることも容易になる。
【００２１】
（その他の事項）
係止開口部１１３が形成される平坦部１０２の位置は、係止凸部１１１が形成される帯状部材の端部から離れた位置に設定されるほど、２つの輪木の重なる長さが長くなり、より連結部の剛性や強度を高めやすいが、例えば端部の平坦部１０２から１つの屈曲部１０１を介して隣り合う平坦部１０２に形成されるなどしてもよく、所望の剛性や強度と、所望の全長とに応じて設定されればよい。
【００２２】
また、係止開口部１１３は、１箇所にだけ（１つの平坦部１０２にだけ）形成されるのに限らず、複数の平坦部１０２に形成されて、係止凸部１１１が係止される係止開口部１１３を選択することによって、連結された輪木の全長を種々に設定できるようにしてもよい。
【００２３】
また、複数の係止開口部１１３を形成するとともに、輪木の両端側に係止凸部１１１を形成することによって、３つ以上の輪木を順次連結可能にしてもよい。
【００２４】
また、係止凸部１１１や係止開口部１１３、および係合突起１２１や係合孔１２２は、両方とも設けられることによって相乗的に強固な連結をさせやすくなるが、これに限らず、何れか一方だけを形成しても、連結自体は可能にすることができる。
【００２５】
また、上記把持部１０４の形状や寸法などは、特に限定されず、種々設定することができる。例えば、上記のように角形の環状に限らず、例えば穴を有しない板状に形成されたり、帯状部材から直線的に張り出した棒状や、その棒状の先が折れ曲がった鉤状などに形成されたりしてもよい。
【００２６】
また、輪木１００の帯状部材の寸法や形状、例えば屈曲部１０１の数なども、特に限定されず、資材パネル２００等の大きさなどに応じて種々設定されればよい。例えば、上記のように屈曲部１０１が台形のような形状に形成されるのに限らず、円弧状や、山形などの形状に形成されたりしてもよい。
【００２７】
また、特に、把持部１０４が設けられていることによって、上記のように輪木１００全体が資材パネル２００の下方に位置しているような状態でも手指を挟んだりしにくくできるので、単体で用いられる場合でも、輪木１００の全長や、適用しやすい資材パネル２００の大きさの自由度を大きくすることができる。一方、例えば資材パネル２００の幅方向寸法が９１０ｍｍの場合に輪木１００の全長を９８０ｍｍにしたり、資材パネル２００の幅方向寸法が６０６ｍｍの場合に輪木１００の全長を６８０ｍｍにしたりするなど、単体でも、把持部１０４が資材パネル２００から突き出されやすいようにしてもよい。
【００２８】
また、輪木１００の帯状部の形状は、強度や重量、製造上の考慮要素など、種々の観点から設定することができ、例えば種々のリブや肉抜きなどを設けたりしてもよい。
【符号の説明】
【００２９】
１００      輪木
１０１      屈曲部
１０２      平坦部
１０３      リブ部
１０４      把持部
１１１      係止凸部
１１２      干渉回避開口部
１１３      係止開口部
１１３ａ    第１縁部
１１３ｂ    第２縁部
１２１      係合突起
１２２      係合孔
２００      資材パネル
【図１】
2019190128.tif 000003
【図２】
2019190128.tif 000004
【図３】
2019190128.tif 000005
【図４】
2019190128.tif 000006